【手続補正書】
【提出日】平成15年11月4日(2003.11.4)
【手続補正１】
【補正対象書類名】明細書
【補正対象項目名】特許請求の範囲
【補正方法】変更
【補正の内容】
【特許請求の範囲】
【請求項１】
同相の蓄積電荷転送パルスを印加して光電変換された電荷を一斉に取り出す複数の電極からなる電極群を複数有する多相電極構造のCCD 撮像デバイスにおけるモニタ方法において、該方法は、
前記複数の電極群中の１または２以上の電極群に蓄積電荷転送パルスを印加することにより垂直間引き読出しを行って画面をモニタするとき、該画面の画素欠陥が最小となる１または２以上の電極群に蓄積電荷転送パルスを印加することを特徴とするCCD 撮像デバイスにおけるモニタ方法。
【請求項２】
同相の蓄積電荷転送パルスを印加して光電変換された電荷を一斉に取り出す複数の電極からなる電極群を複数有する多相電極構造のCCD 撮像デバイスにおけるモニタ方法において、該方法は、
前記複数の電極群中の１または２以上の電極群に蓄積電荷転送パルスを印加することにより垂直間引き読出しを行って画面をモニタするとき、前記CCD 撮像デバイスに存在する画素欠陥の該CCD 撮像デバイス上におけるアドレスに基づいて、該画素欠陥を前記１または２以上の電極群を切り換えることにより得られる複数の画面に割り振って集計し、画素欠陥の数量が最小となる画面を得ることのできる１または２以上の電極群に蓄積電荷転送パルスを印加することを特徴とするCCD 撮像デバイスにおけるモニタ方法。
【請求項３】
請求項２に記載の方法において、前記画素欠陥をそのアドレスに基づいて前記１または２以上の電極群を切り換えることにより得られる複数の画面に割り振った後、各画素欠陥に対して所定の重み付けを施して集計することを特徴とするCCD 撮像デバイスにおけるモニタ方法。
【請求項４】
同相の蓄積電荷転送パルスを印加して光電変換された電荷を一斉に取り出す複数の電極からなる電極群を複数有する多相電極構造のCCD 撮像デバイスを含むディジタルスチルカメラにおいて、該カメラは、
前記複数の電極群中からモニタモード時に蓄積電荷転送パルスを印加する１または２以上の電極群を選択する選択手段を有することを特徴とするディジタルスチルカメラ。
【請求項５】
同相の蓄積電荷転送パルスを印加して光電変換された電荷を一斉に取り出す複数の電極からなる電極群を複数有する多相電極構造のCCD 撮像デバイスを含むディジタルスチルカメラにおいて、該カメラは、
前記CCD 撮像デバイスに存在する画素欠陥の該CCD 撮像デバイス上におけるアドレスをあらかじめ格納する格納手段と、
前記複数の電極群中の１または２以上の電極群に蓄積電荷転送パルスを印加することにより垂直間引き読出しを行って画面をモニタするとき、前記画素欠陥を前記格納手段により格納されているアドレスに基づいて、前記１または２以上の電極群を切り換えることにより得られる複数の画面に割り振って集計し、集計した数量が最小となる画面に対応する電極群を蓄積電荷転送パルスを印加する電極群に設定する設定手段とを有することを特徴とするディジタルスチルカメラ。
【請求項６】
同相の蓄積電荷転送パルスを印加して光電変換された電荷を一斉に取り出す複数の電極からなる電極群を複数有する多相電極構造のCCD 撮像デバイスを含むディジタルスチルカメラにおいて、該カメラは、
前記CCD 撮像デバイスに存在する画素欠陥の該CCD 撮像デバイス上におけるア
ドレスをあらかじめ格納する格納手段と、
前記複数の電極群中の１または２以上の電極群に蓄積電荷転送パルスを印加することにより垂直間引き読出しを行って画面をモニタするとき、前記画素欠陥を前記格納手段により格納されているアドレスに基づいて、前記１または２以上の電極群を切り換えることにより得られる複数の画面に割り振って集計し、集計した数量が最小となる画面に対応する電極群を蓄積電荷転送パルスを印加する電極群に設定する設定手段と、
前記格納手段に格納されているアドレスが更新されたとき、前記設定手段を制御してモニタするときに前記蓄積電荷転送パルスを印加する電極群を設定させる制御手段とを有することを特徴とするディジタルスチルカメラ。
【請求項７】
請求項５または６に記載のカメラにおいて、前記画素欠陥を前記格納手段に格納されているアドレスに基づいて前記１または２以上の電極群を切り換えることにより得られる複数の画面に割り振った後、各画素欠陥に対して所定の重み付けを施して集計することを特徴とするディジタルスチルカメラ。
【手続補正２】
【補正対象書類名】明細書
【補正対象項目名】０００７
【補正方法】変更
【補正の内容】
【０００７】
【課題を解決するための手段】
本発明は上述の課題を解決するために、同相の蓄積電荷転送パルスを印加して光電変換された電荷を一斉に取り出す複数の電極からなる電極群を複数有する多相電極構造のCCD 撮像デバイスにおけるモニタ方法において、該方法は、複数の電極群中の１または２以上の電極群に蓄積電荷転送パルスを印加することにより垂直間引き読出しを行って画面をモニタするとき、この画面の画素欠陥が最小となる１または２以上の電極群に蓄積電荷転送パルスを印加することを特徴とするものである。


【手続補正３】
【補正対象書類名】明細書
【補正対象項目名】０００８
【補正方法】変更
【補正の内容】
【０００８】
また、本発明は、同相の蓄積電荷転送パルスを印加して光電変換された電荷を一斉に取り出す複数の電極からなる電極群を複数有する多相電極構造のCCD 撮像デバイスにおけるモニタ方法において、該方法は、複数の電極群中の１または２以上の電極群に蓄積電荷転送パルスを印加することにより垂直間引き読出しを行って画面をモニタするとき、CCD 撮像デバイスに存在する画素欠陥のこのCCD 撮像デバイス上におけるアドレスに基づいて、画素欠陥を１または２以上の電極群を切り換えることにより得られる複数の画面に割り振って集計し、画素欠陥の数量が最小となる画面を得ることのできる１または２以上の電極群に蓄積電荷転送パルスを印加することを特徴とするものである。


【手続補正４】
【補正対象書類名】明細書
【補正対象項目名】０００９
【補正方法】変更
【補正の内容】
【０００９】
この場合、画素欠陥をそのアドレスに基づいて１または２以上の電極群を切り換えることにより得られる複数の画面に割り振った後、各画素欠陥に対して所定の重み付けを施して集計するのがよい。


【手続補正５】
【補正対象書類名】明細書
【補正対象項目名】００１０
【補正方法】変更
【補正の内容】
【００１０】
また、本発明は、同相の蓄積電荷転送パルスを印加して光電変換された電荷を一斉に取り出す複数の電極からなる電極群を複数有する多相電極構造のCCD 撮像デバイスを含むディジタルスチルカメラにおいて、該カメラは、複数の電極群中からモニタモード時に蓄積電荷転送パルスを印加する１または２以上の電極群を選択する選択手段を有することを特徴とするものである。


【手続補正６】
【補正対象書類名】明細書
【補正対象項目名】００１１
【補正方法】変更
【補正の内容】
【００１１】
また、本発明は、同相の蓄積電荷転送パルスを印加して光電変換された電荷を一斉に取り出す複数の電極からなる電極群を複数有する多相電極構造のCCD 撮像デバイスを含むディジタルスチルカメラにおいて、該カメラは、CCD 撮像デバイスに存在する画素欠陥のこのCCD 撮像デバイス上におけるアドレスをあらかじめ格納する格納手段と、複数の電極群中の１または２以上の電極群に蓄積電荷転送パルスを印加することにより垂直間引き読出しを行って画面をモニタするとき、画素欠陥を格納手段により格納されているアドレスに基づいて、１または２以上の電極群を切り換えることにより得られる複数の画面に割り振って集計し、集計した数量が最小となる画面に対応する電極群を蓄積電荷転送パルスを印加する電極群に設定する設定手段とを有することを特徴とするものである。


【手続補正７】
【補正対象書類名】明細書
【補正対象項目名】００１２
【補正方法】変更
【補正の内容】
【００１２】
また、本発明は、同相の蓄積電荷転送パルスを印加して光電変換された電荷を一斉に取り出す複数の電極からなる電極群を複数有する多相電極構造のCCD 撮像デバイスを含むディジタルスチルカメラにおいて、該カメラは、CCD 撮像デバイスに存在する画素欠陥のこのCCD 撮像デバイス上におけるアドレスをあらかじめ格納する格納手段と、複数の電極群中の１または２以上の電極群に蓄積電荷転送パルスを印加することにより垂直間引き読出しを行って画面をモニタするとき、画素欠陥を格納手段により格納されているアドレスに基づいて、１または２以上の電極群を切り換えることにより得られる複数の画面に割り振って集計し、集計した数量が最小となる画面に対応する電極群を蓄積電荷転送パルスを印加する電極群に設定する設定手段と、格納手段に格納されているアドレスが更新されたとき、設定手段を制御してモニタするときに蓄積電荷転送パルスを印加する電極群を設定させる制御手段とを有することを特徴とするものである。


【手続補正８】
【補正対象書類名】明細書
【補正対象項目名】００１３
【補正方法】変更
【補正の内容】
【００１３】
この場合、画素欠陥を格納手段に格納されているアドレスに基づいて１または２以上の電極群を切り換えることにより得られる複数の画面に割り振った後、各画素欠陥に対して所定の重み付けを施して集計することが望ましい。


【手続補正９】
【補正対象書類名】明細書
【補正対象項目名】００１７
【補正方法】変更
【補正の内容】
【００１７】
信号処理部５は、システム制御部９の指示に従って、本撮影モード時にはCCD 撮像デバイス４からの信号に対して所定の前処理を施し、A/D 変換してフレームメモリ部６に一時格納し、補完処理等所定の処理を施して記録ユニット７へ出力すると共に、モニタモード時にはCCD 撮像デバイス４からの信号を、例えば映像信号に変換して液晶モニタ８へ出力するものである。記録ユニット７は、信号処理部５で処理された信号をメモリカード等の記録媒体に格納するものである。液晶モニタ８は、モニタモード時に信号処理部５から出力されるCCD 撮像デバイス４からの信号をモニタ上に表示するものであり、画格やシーンを確認するために使用される。


【手続補正１０】
【補正対象書類名】明細書
【補正対象項目名】００４７
【補正方法】変更
【補正の内容】
【００４７】
この場合、垂直間引き読出しを行った画面に現れる画素欠陥の位置、レベル等により画素欠陥がユーザに与える不快感が異なることを考慮して、画素欠陥の位置やレベル等に応じた重み付け処理を施した上で集計するようにするとよい。次いで、システム制御部９は、集計した画素欠陥の数量を比較し、集計した数量が最も小さい画面に対応する電極をモニタモード時における信号読出しの電極に選定する（ステップS5）。そして、選定した電極の電極名を内部メモリに記憶する。システム制御部９は、モニタモード時には、その内部メモリから電極名を読み出し、その電極に蓄積電荷転送パルスを印加するようにタイミング発生器15に指示する。